(57)【要約】      （修正有）【課題】改良された動力ツールのためのモジュール式パネルの提供。【解決手段】パネル１４は、付属構成要素がパネル１４を本体開口部１０２内に挿入する前に、連結され得るので、製造しやすさを提供する。パネル１４は、パネル１４の側方縁部から外向きに延びる複数のラグまたは突出部１０４を備える。本体１２の開口部１０２は、突出部１０４を受容するための嵌合凹部１０６を備える。一旦パネル１４が組み立てられると、パネル１４は、本体１２上の位置にカチッと嵌められ得る。パネル１４が破壊した場合、容易に置換され、単一のパネル１４が、種々の動力ツールに利用され得る。さらに、製造プロセスは、付属品が動力ツール本体１２上に規定される個々の開口部内に付属品を設置されないで、パネル１４上に設置される。【選択図】図２
2006281430.tif 000002
【特許請求の範囲】
【請求項１】
携帯型動力ツールであって、以下：
上面を有し、駆動機構、モーター、および出力機構を備える本体であって、該モーターは、電源に連結されている、本体；
該本体に連結され、該本体と関連づけられたモーター作動スイッチを有する、ハンドル部分であって、該モーター作動スイッチは、該出力機構を作動するために、該モーターに連結されている、ハンドル部分；および
該本体の該上面に位置づけられている電力水準指示器、
を備える、携帯型動力ツール。
【請求項２】
請求項１に記載のツールであって、前記電源はバッテリーであり、該バッテリーは、前記本体に連結され、前記モーターと関連づけられており、前記電力水準指示器は、該バッテリーに電気的に連結されているバッテリー充電指示器である、ツール。
【請求項３】
請求項２に記載のツールであって、前記バッテリーは、前記ハンドル部分に取り外し可能に連結され、前記バッテリー指示器は、少なくとも１つのＬＥＤを備える、ツール。
【請求項４】
請求項１に記載のツールであって、該ツールは、前記本体の前記上面に開口部に連結しているパネルをさらに備え、ここで前記電力水準指示器は、該パネルに連結されている、ツール。
【請求項５】
請求項４に記載のツールであって、前記パネルは、ギア制御スイッチ、磁石、部品ホルダー、水準器、トレイ、および電力水準指示器からなる群より選択される少なくとも１つの付属構成要素を受容するように構成されている、ツール。
【請求項６】
請求項５に記載のツールであって、前記磁石は、成形磁石を備え、該磁石は、トレイと関連づけられ、前記水準器は、気泡水準器である、ツール。
【請求項７】
請求項４に記載のツールであって、前記パネルは、該動力ツールの出力を制御するためのギア制御スイッチ、金属物質を保持するための磁石、水準器、および前記電力水準指示器を備える、ツール。
【請求項８】
請求項１に記載のツールであって、前記電力水準指示器は、照明機構および動力水準作動機構を備える、ツール。
【請求項９】
請求項４に記載のツールであって、前記パネルは複数の突出部を備え、前記本体は、複数の凹部を備え、該突出部および該凹部は、互いに嵌合して、該本体に該パネルを結合するように構成されている、ツール。
【請求項１０】
請求項５に記載のツールであって、前記ギア制御スイッチは、前記パネルに連結され、かつ第１および第２の側方レールを備え、前記本体は、該ギア制御スイッチの該第１および第２の側方レールを保持するように構成されている第１および第２のレッジを備え、該パネルは、開口部を備え、該開口部を通って、該ギア制御スイッチの少なくとも一部が、ユーザによる動作のために利用可能であり、該ギア制御スイッチの該第１および第２の側方レールは、該パネルが該本体の上に据え付けられている場合に、該パネルと該本体上の該第１および第２のレッジとの間に挟まれて、該本体およびパネルに対する該ギア制御スイッチの動作を可能にする、ツール。
【請求項１１】
請求項１０に記載のツールであって、前記第１および第二の側方レールの各々は、横方向に延びる突出部を備え、前記本体は、該突出部と嵌合するために、前記第１および第２のレッジの各々に隣接する少なくとも１つの移動止めを備え、該ギア制御スイッチの動作は、該少なくとも１つの移動止めと接触状態または外れた状態にある該突出部の動作を生じて、ユーザに該ギア制御スイッチが、前記駆動機構の特定のギアと関連づけられることを示す触覚シグナルまたは可聴シグナルのうちの少なくとも１つを提供する、ツール。
【請求項１２】
請求項４に記載のツールであって、前記パネルは、該パネルを該本体の前記開口部に据え付ける前に、少なくとも１つの付属構成要素を該パネルに連結することを可能にするように構成されているという点でモジュール式である、ツール。
【請求項１３】
動力ツールであって、以下：
上面を有する本体；
ハンドル部分；
該本体または該ハンドル部分のうちの一方に連結されているバッテリー；および
該本体の該上面に配置され、該バッテリーに電気的に連結されているバッテリー充電指示器、
を備える、動力ツール。
【請求項１４】
請求項１３に記載の動力ツールであって、前記バッテリー充電指示器は、照明機構およびバッテリー充電作動機構を備える、ツール。
【請求項１５】
請求項１３に記載の動力ツールであって、前記バッテリー充電指示器は、パネル部材上に配置され、該パネル部材は、該動力ツールの上面に連結されている、動力ツール。
【請求項１６】
動力ツールに配置されている開口部中に固定するように構成された動力ツールのためのモジュール式パネルであって、以下：
動力ツールのハウジングに連結するように構成されているパネル部材；
付属構成要素と関連づけるために該パネル部材上に配置された少なくとも１つの開口部；および
該パネル部材に対して該付属構成要素を連結するための該パネル部材と関連づけられた少なくとも１つの連結機構であって、ここで該連結機構は、パネル部材を動力ツールのハウジングと連結する前に、該付属構成要素を該パネル部材に連結することを可能にするように構成され、該パネル中の該少なくとも１つの開口部は、ユーザが該付属構成要素を利用することを可能にするために設けられている、連結機構、
を備える、モジュール式パネル。
【請求項１７】
請求項１６に記載のモジュール式パネルであって、前記パネル部材における前記少なくとも１つの開口部は、複数の開口部を含み、前記少なくとも１つの付属構成要素は、複数の付属構成要素を含む、モジュール式パネル。
【請求項１８】
請求項１６に記載のモジュール式パネルであって、前記複数の付属構成要素は、ギア制御スイッチ、磁性トレイ、水準器、および電力水準指示器のうちの１以上を含む、モジュール式パネル。
【請求項１９】
動力ツールを製造するための方法であって、以下の工程：
動力ツールのハウジングを提供する工程であって、該ハウジングは、中に規定された開口部を有する、工程；
該ハウジングにおける該開口部に連結するように構成されたパネル部材を提供する工程であって、該パネル部材は、付属構成要素と関連づけるために配置された複数のパネル開口部および該付属構成要素を該パネル部材に連結するための複数の連結機構を有し、該複数の付属構成要素は、ギア制御スイッチ、磁性トレイ、水準器、および電力水準指示器のうちの１つ以上を含む、工程；
複数の付属構成要素を、該連結機構を利用して、該パネル部材における該開口部に連結する工程；ならびに
該パネル部材を該動力ツールの該ハウジングに連結する工程、
を包含する、方法。
【発明の詳細な説明】
【技術分野】
【０００１】
（分野）
本技術は、携帯型電気ツールおよびコードレス動力ツールに関する。より具体的には、本技術は、動力ツールのためのモジュール式パネルを考慮する。
【背景技術】
【０００２】
（背景）
動力ツールは、従来、速度制御スイッチまたはボタンを利用する。これらのスイッチまたはボタンは、動力ツールの上面、側面、または下面に配置され得る。ハウジングは、代表的に、開口部を形成するように一体的に成型され、そしてスイッチまたはボタンは、ユーザによるアクセスのために、これらの開口部内に据え付けられるように構成される。付属構成要素（例えば、ドリルビットホルダ、水準器、および他の付属構成要素）もまた、動力ツールの本体に配置されることが公知である。付属構成要素は、しばしば、ツールのハウジングに成型されるか、またはハウジングの表面にかもしくはハウジングを通して配置される個々の挿入物または付着物によって規定される。
【０００３】
コードレスの動力ツールは、代表的に、動力のためのバッテリーパックを利用する。いくつかのツールにおいて、バッテリーパックは、ツールのハンドルおよび本体の下方（例えば、ドリル内）に配置される。バッテリーパックは、しばしば、代表的にバッテリーパック上に配置されるバッテリー指示器を利用する。ユーザは、そのバッテリーパックが充電されているか否かを決定するために、ドリルのハウジングの下、またはドリルの底部の方を見る必要がある。ドリルのユーザは、しばしば、動力ツールの連続的な作動を可能にするために、１つのツールと一緒に、１つより多いバッテリーパックを利用する。各バッテリーパックは、充電指示器を有し、この指示器は、そのバッテリーパックの全体の費用を増加させる。
【発明の開示】
【発明が解決しようとする課題】
【０００４】
本発明の課題は、改良された動力ツールのためのモジュール式パネルを提供することである。
【課題を解決するための手段】
【０００５】
（項目１）  携帯型動力ツールであって、以下：
上面を有し、駆動機構、モーター、および出力機構を備える本体であって、該モーターは、電源に連結されている、本体；
該本体に連結され、該本体と関連づけられたモーター作動スイッチを有する、ハンドル部分であって、該モーター作動スイッチは、該出力機構を作動するために、該モーターに連結されている、ハンドル部分；および
該本体の該上面に位置づけられている電力水準指示器、
を備える、携帯型動力ツール。
（項目２）  項目１に記載のツールであって、前記電源はバッテリーであり、該バッテリーは、前記本体に連結され、前記モーターと関連づけられており、前記電力水準指示器は、該バッテリーに電気的に連結されているバッテリー充電指示器である、ツール。
（項目３）  項目２に記載のツールであって、前記バッテリーは、前記ハンドル部分に取り外し可能に連結され、前記バッテリー指示器は、少なくとも１つのＬＥＤを備える、ツール。
（項目４）  項目１に記載のツールであって、該ツールは、前記本体の前記上面に開口部に連結しているパネルをさらに備え、ここで前記電力水準指示器は、該パネルに連結されている、ツール。
（項目５）  項目４に記載のツールであって、前記パネルは、ギア制御スイッチ、磁石、部品ホルダー、水準器、トレイ、および電力水準指示器からなる群より選択される少なくとも１つの付属構成要素を受容するように構成されている、ツール。
（項目６）  項目５に記載のツールであって、前記磁石は、成形磁石を備え、該磁石は、トレイと関連づけられ、前記水準器は、気泡水準器である、ツール。
（項目７）  項目４に記載のツールであって、前記パネルは、該動力ツールの出力を制御するためのギア制御スイッチ、金属物質を保持するための磁石、水準器、および前記電力水準指示器を備える、ツール。
（項目８）  項目１に記載のツールであって、前記電力水準指示器は、照明機構および動力水準作動機構を備える、ツール。
（項目９）  項目４に記載のツールであって、前記パネルは複数の突出部を備え、前記本体は、複数の凹部を備え、該突出部および該凹部は、互いに嵌合して、該本体に該パネルを結合するように構成されている、ツール。
（項目１０）  項目５に記載のツールであって、前記ギア制御スイッチは、前記パネルに連結され、かつ第１および第２の側方レールを備え、前記本体は、該ギア制御スイッチの該第１および第２の側方レールを保持するように構成されている第１および第２のレッジを備え、該パネルは、開口部を備え、該開口部を通って、該ギア制御スイッチの少なくとも一部が、ユーザによる動作のために利用可能であり、該ギア制御スイッチの該第１および第２の側方レールは、該パネルが該本体の上に据え付けられている場合に、該パネルと該本体上の該第１および第２のレッジとの間に挟まれて、該本体およびパネルに対する該ギア制御スイッチの動作を可能にする、ツール。
（項目１１）  項目１０に記載のツールであって、前記第１および第二の側方レールの各々は、横方向に延びる突出部を備え、前記本体は、該突出部と嵌合するために、前記第１および第２のレッジの各々に隣接する少なくとも１つの移動止めを備え、該ギア制御スイッチの動作は、該少なくとも１つの移動止めと接触状態または外れた状態にある該突出部の動作を生じて、ユーザに該ギア制御スイッチが、前記駆動機構の特定のギアと関連づけられることを示す触覚シグナルまたは可聴シグナルのうちの少なくとも１つを提供する、ツール。
（項目１２）  項目４に記載のツールであって、前記パネルは、該パネルを該本体の前記開口部に据え付ける前に、少なくとも１つの付属構成要素を該パネルに連結することを可能にするように構成されているという点でモジュール式である、ツール。
（項目１３）  動力ツールであって、以下：
上面を有する本体；
ハンドル部分；
該本体または該ハンドル部分のうちの一方に連結されているバッテリー；および
該本体の該上面に配置され、該バッテリーに電気的に連結されているバッテリー充電指示器、
を備える、動力ツール。
（項目１４）  項目１３に記載の動力ツールであって、前記バッテリー充電指示器は、照明機構およびバッテリー充電作動機構を備える、ツール。
（項目１５）  項目１３に記載の動力ツールであって、前記バッテリー充電指示器は、パネル部材上に配置され、該パネル部材は、該動力ツールの上面に連結されている、動力ツール。
（項目１６）  動力ツールに配置されている開口部中に固定するように構成された動力ツールのためのモジュール式パネルであって、以下：
動力ツールのハウジングに連結するように構成されているパネル部材；
付属構成要素と関連づけるために該パネル部材上に配置された少なくとも１つの開口部；および
該パネル部材に対して該付属構成要素を連結するための該パネル部材と関連づけられた少なくとも１つの連結機構であって、ここで該連結機構は、パネル部材を動力ツールのハウジングと連結する前に、該付属構成要素を該パネル部材に連結することを可能にするように構成され、該パネル中の該少なくとも１つの開口部は、ユーザが該付属構成要素を利用することを可能にするために設けられている、連結機構、
を備える、モジュール式パネル。
（項目１７）  項目１６に記載のモジュール式パネルであって、前記パネル部材における前記少なくとも１つの開口部は、複数の開口部を含み、前記少なくとも１つの付属構成要素は、複数の付属構成要素を含む、モジュール式パネル。
（項目１８）  項目１６に記載のモジュール式パネルであって、前記複数の付属構成要素は、ギア制御スイッチ、磁性トレイ、水準器、および電力水準指示器のうちの１以上を含む、モジュール式パネル。
（項目１９）  動力ツールを製造するための方法であって、以下の工程：
動力ツールのハウジングを提供する工程であって、該ハウジングは、中に規定された開口部を有する、工程；
該ハウジングにおける該開口部に連結するように構成されたパネル部材を提供する工程であって、該パネル部材は、付属構成要素と関連づけるために配置された複数のパネル開口部および該付属構成要素を該パネル部材に連結するための複数の連結機構を有し、該複数の付属構成要素は、ギア制御スイッチ、磁性トレイ、水準器、および電力水準指示器のうちの１つ以上を含む、工程；
複数の付属構成要素を、該連結機構を利用して、該パネル部材における該開口部に連結する工程；ならびに
該パネル部材を該動力ツールの該ハウジングに連結する工程、
を包含する、方法。
【０００６】
動力ツールは、上面および電源を有する本体を備える。電力水準指示器は、その動力ツールの本体の上面に配置される。コードレス動力ツールの場合、取り外し可能なバッテリーが電源であり、その電力水準指示器は、バッテリー充電指示器であり、このバッテリー充電指示器は、そのバッテリーに電気的に連結されている。動力ツールのためのモジュール式パネルは、動力ツールに配置された開口部に固定するように構成されている。そのパネルは、パネル部材、付属構成要素と関連づけるために該パネル部材に配置された少なくとも１つの開口部、およびその少なくとも１つの付属構成要素をそのパネルに連結するための少なくとも１つの連結機構を備える。その連結部材は、そのパネルを本体のハウジングに連結する前に、その付属構成要素をそのパネルに連結することを可能にするように構成されている。
【０００７】
（詳細な説明）
以下に記載される実施例に従って、携帯型動力ツールは、上面を有する本体を備え、そして駆動機構、モーター、および出力機構を備える。ハンドル部分は、本体に連結され、そしてこのハンドル部分に関連するモーター作動スイッチを有する。このモーター作動スイッチは、出力機構を作動させる目的で、モーターに連結される。電力水準指示器は、本体の上面に配置される。
【０００８】
１つの実施形態において、この動力ツールは、本体に連結され、そしてモーターに関連する、バッテリーをさらに備える。この実施形態において、電力水準指示器は、バッテリーに電気的に連結された、バッテリー充電指示器である。このバッテリーは、ハンドル部分に取り外し可能に連結され得、そしてバッテリー指示器は、少なくとも１つのＬＥＤを備え得る。
【０００９】
パネルが、本体の上面の開口部に連結され得る。電力水準指示器は、このパネルに連結され得る。このパネルは、少なくとも１つの付属品（ギア制御スイッチ、磁石、ドリルビットスナップばめ取付具、水準器、トレイ、および電力水準指示器からなる群より選択される）を受容するように構成され得る。磁石は、内部に成型される磁石を備え得、そして金属性物体を保持するために使用される。ギア制御スイッチは、動力ツールの速度およびトルクを制御するために使用される。電力水準指示器は、動力ツールによる使用のために利用可能な電力水準を指示するためのものであり、そして照明機構および作動機構を備え得る。
【００１０】
パネルを動力ツールの本体に連結する目的で、このパネルは、複数の突出部または出張りを備え、そして本体は、複数の凹部を備える。これらの突出部および凹部は、互いに嵌合して、パネルを本体に連結するように構成される。
【００１１】
ギア制御スイッチは、パネルに連結され得、そして第一の側方レールおよび第二の側方レールを備える。本体は、第一のレッジおよび第二のレッジを備え、これらのレッジは、ギア制御スイッチの第一の側方レールおよび第二の側方レールを保持するように構成される。このパネルは、開口部を備え、この開口部を通して、ギア制御スイッチの少なくとも一部が、ユーザによる動作のためにアクセス可能であり、そしてギア制御スイッチの第一の側方レールおよび第二の側方レールは、本体上で、パネルと、第一および第二のレッジとの間に挟まれ、ギア制御スイッチの、本体およびパネルに対する、スライドする前後への長手軸方向での動作を可能にする。第一の側方レールおよび第二の側方レールの各々は、横方向に延びる突出部を備え得る。本体は、上記突出部と嵌合するために、第一のレッジおよび第二のレッジの各々に隣接して、少なくとも１つの押込み部を備え得る。ギア制御スイッチのスライドする前後への動作は、この突出部の、少なくとも１つの押込み部と接触し、そして離れる動作を生じ、ギア制御スイッチが特定のギアに関連しているという触覚シグナルまたは可聴シグナルのうちの少なくとも１つを、ユーザに提供する。このパネルは、パネルを本体の開口部に据え付ける前に、このパネルへの付属物連結を可能にするように構成される点で、モジュール式である。
【００１２】
別の実施形態において、動力ツールは、上面を有する本体、ハンドル部分、本体またはハンドル部分のうちの一方に連結されたバッテリー、および本体の上面に配置されかつバッテリーに電気的に連結されたバッテリー充電指示器を備える。このバッテリー充電指示器は、照明機構および作動機構を備え得る。このバッテリー充電指示器は、動力ツールの上面に連結されたパネル部材上に配置され得る。
【００１３】
なお別の実施形態において、動力ツールのためのモジュール式パネルは、動力ツールに配置された開口部内に設置されるように構成され、そしてパネル部材、少なくとも１つの開口部、および少なくとも１つの連結機構を備え、このパネル部材は、動力ツールの本体に連結するように構成され、そしてこの開口部は、付属構成要素に関連するためのパネル部材上に配置され、そしてこの連結機構は、パネル部材への付属構成要素の連結のために、このパネル部材に関連する。この連結機構は、パネル部材と動力ツールの本体との連結の前に、パネル部材への付属構成要素の連結を可能にするように構成され得る。パネルの少なくとも１つの開口部が、ユーザによる付属構成要素へのアクセス（物理的にか、視覚的にか、または他の様式であっても）を可能にするために提供される。
【００１４】
パネル部材における少なくとも１つの開口部は、複数の開口部を備え得、そして少なくとも１つの付属構成要素は、複数の付属構成要素を構成し得る。これらの複数の付属構成要素としては、ギア制御スイッチ、磁性トレイ、水準器、および電力水準指示器のうちの１つ以上が挙げられ得る。
【００１５】
さらなる実施形態において、動力ツールを製造するための方法は、動力ツールのハウジングを提供する工程であって、このハウジングが、その内部に規定される開口部を有する、工程、このハウジングの開口部に連結されるように構成されたパネル部材を提供する工程であって、このパネル部材が、付属構成要素をパネル部材に連結するための、付属構成要素および複数の連結機構と関連するために配置された複数の開口部を有する、工程、連結構成要素を利用して、複数の付属構成要素を、パネル部材における開口部に連結する工程、ならびにパネル部材を動力ツールのハウジングに連結する工程を包含する。
【発明の効果】
【００１６】
本発明により、改良された動力ツールのためのモジュール式パネルが提供される。
【発明を実施するための最良の形態】
【００１７】
ここで図面を参照すると、動力ツール１０および動力ツール本体１２（例示パネル１４を組み込む）が、図１〜２および１３〜１６に示される。例示的目的のために本明細書中で利用される動力ツール１０は、コードレスドリルである。しかし、他の型の動力ツールが、限定なしで、例示的パネル１４および本明細書中に記載される特徴を利用し得る。各動力ツール１０は、代表的に、当業者に公知であるような、本体１２、ハンドル１６、電源１８、および出力機構２０を備える。本体１２およびハンドル１６は、一体的に形成されても、別々に形成されてもよい。ドリル、丸鋸、ルーター、および研磨器の場合、出力機構は、回転シャフトである。往復鋸の場合、出力機構は、往復部材である。ネイラー（ｎａｉｌｅｒ）の場合、出力機構は、駆動機構である。以下の説明は、図示されるドリル１０の文脈においてであるが、当業者は、本明細書中に記載される原理が、他の型の動力ツールに適用可能であることを認識する。
【００１８】
例示的パネル１４が、図３〜１２に図示され、種々の付属構成要素がパネル１４に連結されたパネル１４を示す。図示される例示的付属構成要素としては、ギア制御スイッチ２２、電力水準指示器２４、気泡水準器２６、および磁性トレイ２８が挙げられる。他の付属物（例えば、ドリルビットと駆動ビットとを保持するためのスナップ取付具、電力スイッチ、または当業者に公知の他の付属物）もまた利用され得る。
【００１９】
図１および２を参照すると、バッテリー充電指示器の形態の電力水準指示器２４を有する例示的パネル１４を利用する、ドリルの形態の動力ツール１０が図示されている。ドリル１０は、駆動機構３０およびモーター３２を収容する本体１２、ならびに回転出力シャフトの形態の出力機構２０を備える。駆動機構３０、モーター３２、および回転出力シャフト２０は、ツールの軸Ｘ−Ｘに沿って整列されるが、他の実施形態において、これらは整列されない。
【００２０】
ドリル１０は、ハンドル部分１６を備え、このハンドル部分は、動力ツール１０を把持し、そしてツールの端部を加工片に方向付けるためのものである。ハンドル部分１６は、本体１２に連結され、そしてハンドルの軸Ｙ−Ｙに沿って整列する。ツールの軸Ｘ−Ｘは、ハンドルの軸Ｙ−Ｙに対しておよそ垂直であるが、他の角度で配置され得る。モーター作動スイッチ３４が、この例においては、ハンドル部分１６上に配置されるが、他の実施形態は、ハンドル部分１６の近隣に配置された作動スイッチ３４を有し得る。モーター作動スイッチ３４は、駆動機構３０およびモーター３２を作動させるためのものである。作動される場合、駆動機構３０およびモーター３４は、回転出力シャフト２０を回転させ、例えば、ユーザがドリル１０を表面に入れるかまたはねじを駆動することを可能にする。
【００２１】
図示されるドリル１０は、コードレスであり、そしてドリル１０の下端部に連結されたバッテリーまたはバッテリーパック１８を利用する。図示される実施形態において、バッテリーパック１８は、ハンドル部分１６の下端において、ハンドル部分１６に接続される。バッテリーパック１８は、電力を提供して、駆動機構２０を作動させ、そしてモーター３２を作動させる。動力ドリル１０はまた、電気コンセントに差し込まれるように構成されたプラグを介してＡＣ電力を利用する、コード付き動力ドリル（図示せず）であり得る。
【００２２】
例示的パネル１４（「制御パネル」ともまた称される）は、ドリル１０の本体１２の上面３６に配置される。例示的制御パネル１４は、ほぼ矩形の形状を有するが、任意の形状で構成され得る。代替の制御パネルは、これらの付属物のいくつかまたは全てを備え得る。
【００２３】
作動の際に、ドリルビットまたは類似のデバイスのようなツールは、加工片に対して作用するための回転出力シャフト２０に連結される。このツールは、チャック３８または他の連結機構を使用して、回転出力シャフト２０に取り外し可能に連結される。チャック３８は、鍵なしであっても、チャックを開閉するための鍵（図示せず）を必要としてもよい。ツールおよびドリル１０によって実施される通常の作業としては、例えば、穴を形成すること、ならびに加工片の表面および内部にファスナーを駆動することが挙げられる。
【００２４】
図３〜１２に示されるように、パネル１４は、種々の付属構成要素を受容するための複数の開口部４２、８２、８８を有する、シェル４０を備える。シェル４０は、ツールの軸Ｘ−Ｘに沿って整列されるが、他の配向が可能である。開口部４２、８２、８８は、以下にさらに詳細に議論される連結機構を利用して、種々の付属物に取り付けられるために構成される。図３は、ギア制御スイッチ２２、磁性トレイ２８、電力水準指示器２４、および気泡水準器２６の形態の付属物を図示する。シェル４０における開口部４２、８２、８８は、これらの付属品がユーザによって見え、そして／または作動可能であるように、これらの付属品を収容するような大きさにされる。
【００２５】
シェル４０の一端において、第一の開口部４２は、ギア制御スイッチ２２を受容するために提供される。ギア制御スイッチ２２は、ユーザがギア（これは、動力ツール１０についての速度および関連するトルクに対応する）を選択することを可能にする、スライド可能なスイッチである。特に、ギア制御スイッチ２２は、伝達機構３０を介して、動力ツール１０の出力機構２０の速度およびトルクを変化させる。図示される実施形態において、２つのレベルの速度／トルクが提供され、そしてユーザは、どちらの速度が選択されたかを、図による標識４４「１」および「２」（これらは、スイッチ２２上に配置されているように、図３に示される）に基づいて決定し得る。シェル４０は、第一の開口部４２の長手方向端部に配置される、端部表面４６を有する。端部表面４６は、スイッチ２２の位置に依存して、標識４４のうちの一方を隠す。標識の他の型または位置が利用され得る。さらに、望ましい場合、２つより多くの速度／トルクレベルが提供され得る。
【００２６】
シェル４０の第一の開口部４２は、上で議論された、垂直側壁４８および端部表面４６によって囲まれる。垂直側壁４８は、シェル４０の長手方向軸に対して横断して配置され、そして端部表面４６は、第一の開口部４２の各端部を横切って延びる。端部表面４６は、実質的に平坦な棚として形成され、これは、作動の間、第一の開口部４２を覆って実質的に水平に延び、第一の開口部４２の大きさを制限して、標識４４のうちの一方を隠す。
【００２７】
図５（これは、パネル１４の下側を図示する）および図６（これは、パネル１４の断面図を図示する）を参照すると、２つの下面５０は、パネル１４の下側の外壁に沿って長手軸方向に延びる。これらの表面５０は、長手軸方向に延び、そしてこの実施形態において、本体の軸Ｘ−Ｘに対して平行である。これらの表面５０は、ギア制御スイッチ２２がこれらの表面５０に沿って移動するように、ギア制御スイッチ２２の側方レール５２の上面と嵌合するために利用される。
【００２８】
図３、７、８、１１、および１２に示されるように、ギア制御スイッチ２２は、実質的に平坦な本体部材５４および伝達作動部材５６を備える。示される実施例において、伝達作動部材５６は、半ドーム形状を有し、そしてその上面にリッジ５８を備えて、オペレータの指に対する快適な把持を提供する。ユーザは、ユーザの指をドームのリッジ５８に置き、そして本体の軸Ｘ−Ｘに沿って後方または前方のいずれかに、このドームを長手軸方向にスライドさせることによって、伝達作動部材５６を作動させる。あるいは、作動部材５６は、当該分野において公知の任意の他の構成を有し得る。本体部材５４は、本体部材５４の反対側に、２つの細長スロット６０および２つの突出部６２を備える。スロット６０は、突出部６２が本体１２の内側に沿ってスライドするにつれて突出部６２によって力が付与される場合に、部材５４の側部が内向きに曲がることを可能にするように設計される。特に、突出部６２は、図１８に示されるような本体１２に形成される移動止め６４に沿って作用し、ユーザが伝達作動部材５６を移動させる際に、このユーザに触覚フィードバックおよび／または可聴フィードバックを提供する。突出部６２は、スイッチ２２が長手軸方向に移動される際に、移動止め６４の内外に滑るように構成され、スイッチ２２が第一の位置または第二の位置６４のいずれかになる場合に、ポジティブな「スナップ」を提供する。あるいは、この移動止めは、対応する突出部が本体１２に配置されて、ギア制御スイッチ２２上に配置され得る。
【００２９】
ギア制御スイッチ２２の下面上に、２つの「Ｅ」字型リッジ６６（図７に最もよく示される）が提供される。スロット６８は、これらの２つの「Ｅ」字型のリッジ６６の間に形成される。「Ｅ」字型リッジ６６は、ギア制御スイッチ２２に安定性を提供し、そしてまた、ギア制御スイングアーム７０のための接続地点を提供する。このギア制御スイングアームは、このスイッチを、動力ツール１０の伝達機構または駆動機構３０に連結させるために利用される。ギア制御スイングアーム７０は、「Ｅ」字型リッジ６６の間のスロット６８と嵌合するように構成される、狭小部または他の部分（図示せず）を備え得る。
【００３０】
図７〜１２は、その最終位置においてシェル４０内にフィットする、ギア制御スイッチ２２を示す。この位置において、伝達作動部材５６は、第一の開口部４２を通って突出し、ユーザによるスイッチ２２の動作を可能にする。ギア制御スイッチ２２の周りの端部表面４６は、オペレータの指が伝達作動部材５６をスライドさせるための余分な空間を提供する。
【００３１】
図１３〜１６は、ギア制御スイッチ２２がどのように本体１２に設置されるかを図示する。図１５および１６に示されるように、本体１２は、２つのレッジ７２を備え、一方は、ギア制御スイッチ２２の近隣で、本体１２のいずれかの側にある。ギア制御スイッチ２２の側方レール５２は、これらのレッジ７２上に設置され、そしてレッジ７２に沿ってスライド可能である。図１３〜１４に示されるように、ギアボックススイングアーム７０は、ドリル本体１２の片側に位置する。ギア制御スイングアーム７０は、一端においてギア制御スイッチ２２に連結され、そして他端において動力ツールのトランスミッション３０に連結される。伝達作動部材５６がユーザの指によって移動される場合、ギア制御スイングアーム７０が同時に移動し、これによって、スイングアーム７０を２つの伝達速度の間で移動させる。他の型のギア制御スイッチが、例示的制御パネル１４と共に利用され得ることが、理解されるべきである。
【００３２】
ギア制御スイッチ２２を動力ツール１０上に組み立てるために、スイッチ２２は、スイングアームの上端部が、スイッチ２２の「Ｅ」字型リッジ６６の間のスロット６８内に配置されるように、ギア制御スイングアーム７０上に配置される。スイッチ側方レール５２は、本体１２のレッジ７２上に配置され、そして制御パネル１４は、スイッチ２２を覆って配置され、そして適所にスナップされる。図示される位置において、スイッチ側方レール５２は、本体１２のレッジ７２と制御パネル１４の下側の側面５０との間に挟まれる。ギア制御スイッチ２２は、一般に、長手軸方向に自由にスライドするが、横方向の移動から遅らされる。
【００３３】
上で議論されたように、ギア制御スイッチ２２の側方レール５２は、スイッチ２２のいずれかの側に、横方向に延びる突出部６２を備える。これらの突出部６２は、本体１２に規定される移動止め６４と嵌合して、スイッチ２２の位置に関する触覚情報および／または可聴情報をユーザに提供するように構成される。図１６に示されるように、２つの移動止め６４が、本体１２の両側において、互いに近く接近して提供される。突出部６２は、側方レール５２上に配置され、その結果、これらの突出部は、移動止め６４と嵌合する。突出部６２が前方の移動止めに位置する場合、動力ツール１０は、第一の速度およびトルクで作動可能である。突出部６２が後方の移動留めに位置する場合、動力ツール１０は、第二の速度およびトルクで作動可能である。突出部６２および移動止め６４は、ユーザがスイッチ２２を他方の位置に移動させることを望むまで、スイッチ２２を特定の位置に保持するために利用される。
【００３４】
ギア制御スイッチ２２は、動力ツール１０を１つの速度およびトルクから別の速度およびトルクに切り替えるために利用される。ギア制御スイングアーム７０は、リングギア（図示せず）に連結され、このリングギアは、トランスミッションギアボックスの内側に配置される。ギア制御スイッチ２２が、第一の位置と第二の位置との間で前後に移動するにつれて、このギアボックスは、「ロックされた」位置と「自由な」位置との間で移動する。この「ロックされた」位置は、このスイッチの位置「１」に対応し、そしてこの「自由な」位置は、このスイッチの位置「２」に対応する。リングギアが「ロックされた」位置にある場合に、このリングギアは、ギアボックスの内部で回転することを防止される。これによって、ギア比が低下し、モーターの速度が低下するが、トルクが増加する。この「ロックされた」位置は、ねじを挿入することなどのために有用であるが、多数の他の操作のために使用され得る。対照的に、このリングギアが「自由な」位置にある場合、このリングギアは、ギアボックスの内側で自由に回転することが可能にされ、ギア比を効果的に下げる。これによって、速度が増加するが、トルクが低下し、そしてスイッチの位置「２」に対応する。高速／低トルクの位置「２」は、通常、穴を穿孔するために使用されるが、適切であれば、他の適用のために使用され得る。
【００３５】
図３および７〜１２を参照すると、制御パネルシェル４０はまた、陥凹した磁性トレイ２８を収容する。図示される実施形態において、トレイ２８は、シェル４０の材料にインサートモールディングされ、その結果、磁石７４が、制御パネル１４の上面７６の下に陥凹される。トレイの外面は、基部７８および垂直側壁８０を備え、この垂直側壁は、基部７８の周りに延び、そしてシェル４０の上面７６に基部７８を接続する。図１２に示されるように、磁石７４が、シェル４０に一体的に成型され、そして基部７８の下に配置される。磁石７４は、金属性物体（例えば、ねじまたはドリルビット）を、磁性トレイ２８上に保持することが可能な強度を有する。シェル４０内に一体的に成型される代わりに、１つ以上の磁性要素が、基部の上下に取り付けられて、そのように望まれる場合、必要な磁力を提供し得る。
【００３６】
シェル４０はまた、気泡水準器２６を受容するための第二の開口部８２を備える。気泡水準器２６は、地面に対するドリル１０の相対的傾斜を測定し、そして操作の間、オペレータが動力ドリル１０の本体の軸Ｘ−Ｘを地面と平行に配向させることを補助する。１つより多くの方向でドリル１０の傾斜を示す目的で、１つより多くの気泡水準器２６が提供され得る。第二の開口部８２は、水準器２６がパネル１４に据え付けられる場合に、ユーザが水準器２６を見ることを可能にするような大きさおよび形状にされる。第二の開口部８２は、細長く、そしてシェルの上面から円筒形の様式で下向きに突出する、垂直側壁８４を有する。気泡水準器２６は、図１０に最もよく示される保持アーム８６を介して、制御パネル１４内に保持される。保持アーム８６は、気泡水準器２６を収容し、そしてこの水準器を適所に保持するための形状を有する。一旦、制御パネル１４が動力ツールの本体１２に据え付けられると、気泡水準器２６は、本体１２内の部品または本体１２自体によって、動作からさらに保持され得る。
【００３７】
シェル４０はまた、第三の開口部８８を備え、この開口部は、電力水準指示器２４の可視部分を受容するために、水準器２６の隣に配置される。電力水準指示器２４は、動力ツール１０の電源１８と電気的に連結される。バッテリー１８が電源１８として使用される場合において、電力指示器２４は、バッテリー充電指示器である。第三の開口部８８は、電力指示器２４を収容するような大きさおよび形状にされ、その結果、この指示器は、動力ツール１０のユーザに見える。本明細書中に図示される電力指示器２４の型としては、３つの発光ダイオード（ＬＥＤ）を備える照明機構９０、および押下される場合にスイッチ（図示せず）を作動させる圧縮可能なボタンを備えるバッテリー充電指示作動機構９２が挙げられる。図示される実施形態において、バッテリー充電作動ボタン９２は、黒色であるが、所望の任意の色であり得る。バッテリー充電作動機構９２および照明機構９０の任意の組み合わせが、この目的で使用され得、例示的制御パネル１４は、図示されるＬＥＤの数にも図示される電力指示器の型にも限定されない。３つの個々のＬＥＤを使用する代わりに、充電水準に依存して異なる色を放出する、単一の指示器が使用され得る。棒の位置が充電水準に基づいて明るくなる、棒型の目盛が使用され得る。あるいは、機械的電力水準指示器または他の型もしくは構成の電力水準指示デバイスが、特許請求される例から逸脱することなく利用され得る。
【００３８】
作動の際に、電源１８の電力水準を決定するために、ユーザは、電源１８の電力水準に関する情報が必要とされる場合に、ボタン９２を押す。ボタン９２が押されると、ＬＥＤ９０が照明して、電源１８が完全に充電されているか、いずれかの中間の電力水準で充電されているか、低い充電水準を受けているかを示す。他の実施形態は、電力を指示するためにボタン９２を利用しないかもしれず、そして電力指示は、所望であれば一定であり得るか、または動力ツール１０が作動中であるか否かに依存して断続的であり得る。他の型のバッテリー充電作動機構が、所望であれば、利用され得る。
【００３９】
図１から５、７〜８および１３に示されるように、第三の開口部８８は、３つの開口部分９４を備え、これらの開口部分は、３つのＬＥＤを収容するために、互いに隣接して配置される。示されるＬＥＤは円形であるので、例示パネル１４における開口部分９４は、円形であるように図示されている。他の形状の開口部分、または１つの細長開口部分が利用され得る。第四の開口部分９６が、押下可能なボタンの形態のバッテリー充電作動機構９２に対応するＬＥＤ９０の近位に配置される。図示される実施形態は、照明機構９０にすぐ隣接して配置されたバッテリー充電作動機構９２を備えるが、他の実施形態において、バッテリー充電作動機構９２を、本体１２またはハンドル１６の別の位置、あるいはハウジング上の他の位置（例えば、モーター作動スイッチ３４のより近く）に配置することが望ましくあり得る。
【００４０】
図３に示されるように、逆の電気極性を有する１対の電気接触リード線９８が、バッテリー充電指示器２４とバッテリー１８との間の電気的接続を提供する。バッテリー充電指示器２４は、シェル４０に固定され、その結果、この指示器が最終位置にある場合に、３つのＬＥＤ  ９０およびボタン９２は、それぞれ開口部分９４、９６を通って突出する。オペレータがバッテリー充電作動スイッチ９２を押す場合、電気接触リード９８は、電力を伝えてＬＥＤ  ９０を作動させ、これらのＬＥＤは、次に、バッテリーパック１８内に残っている電力の量に従って照明する。従って、バッテリーパック１８が完全に充電されている場合、３つ全てのＬＥＤが照明し、バッテリー充電水準が中間水準である場合、２つのＬＥＤが照明し、そしてバッテリー充電水準が低い場合、１つのみのＬＥＤが照明して、バッテリーパック１８が再充電されることを必要としていることをオペレータに示す。例示的パネル１４において、シェル４０の上面７６は、充電水準を示す目的で、スタンプアート（ｓｔａｍｐ  ａｒｔ）１００または他の指標を、ＬＥＤ  ９０の隣に備え得る。示されるスタンプアート１００は、フルを表す文字Ｆおよび空を表す文字Ｅを有し、照明されたＬＥＤ  ９０の意味をオペレータが解釈することを補助する。スタンプアート１００はまた、「フル」端部においてより広く、そして「空」端部においてより狭い目盛を備える。他の型のアートまたは図が、バッテリーパック１８の充電水準を示すために利用され得る。あるいは、これらの図は、全て一緒に照明され得る。さらに、ＬＥＤを照明させるための他の技術が利用され得る。例えば、単一のＬＥＤが、充電水準に依存して照明され得る。この例において、バッテリー１８が十分に充電されている場合に、「フル」指標に最も近いＬＥＤが照明し、バッテリー１８がほとんど空である場合に、「空」指標に最も近いＬＥＤが照明し、そしてバッテリー１８が部分的にのみ充電された場合に、中央のＬＥＤが照明する。
【００４１】
バッテリー充電指示器２４を動力ツール１０の上面３６に有することには、いくつかの利点がある。例えば、このような配置は、オペレータの左右にかかわらず、容易な可視性を提供し、そしてバッテリー充電指示器２４を見るために動力ツール１０を回転させる必要のない、容易な組み立て性を提供する。動力ツール１０の頂部のバッテリー充電指示器２４を見ることもまた、より快適である。なぜなら、ヒトの手首についての自然な位置は、通常、動力ツール１０の頂部をオペレータの眼の方に対面させるからである。
【００４２】
バッテリー充電指示器２４を、バッテリーパック１８上よりも動力ツール１０の上面に位置づけることはまた、耐久性の観点から望ましい。動力ツール１０が、偶然に落ちた場合、しばしば、ツールの最も重い部分であるバッテリーパック１８上にのる。このような落下は、バッテリーパック１８上に位置する任意の電機部品を損傷し得る。バッテリーパック１８上とは対照的に、動力ツール１０の本体１２上にバッテリー充電指示器２４を置くことは、費用削減の利益もある。なぜなら、使用者は、代表的に、動力ツールのために複数のバッテリーパックを購入するからである。バッテリー充電指示器２４をドリル１０自体の上に位置づけることによって、バッテリーパック１８は、もはやバッテリー指示器を必要としないので、あまり費用をかけずに製造され得る。
【００４３】
例示パネル１４は、付属構成要素がパネル１４を本体開口部１０２内に挿入する前に、単一のサブアセンブリに連結され得るので、製造プロセスの間、モジュール性を提供する。これは、製造しやすさを提供する。図２、および図７〜１０に示されるように、パネル１４は、パネル１４の側方縁部から外向きに延びる複数のラグまたは突出部１０４を備える。本体１２の開口部１０２は、突出部１０４を受容するための嵌合凹部１０６を備える。一旦パネル１４が組み立てられると、パネル１４は、本体１２上の位置にカチッと嵌められ得る。これは、多くの利点を提供する。例えば、パネル１４が破壊した場合、パネル１４は、動力ツール１０を完全に分解する必要なしに、容易に置換され得る。さらに、単一のパネル１４が、種々の動力ツールに利用され得る。さらに、製造プロセスは、付属品が動力ツール本体１２上に規定される個々の開口部内に付属品を設置されないで、パネル１４上に設置されるので、より容易になされる。
【００４４】
付属構成要素は、連結機構を利用して、パネル１４に連結される。図１０において最もよく示されるように、気泡水準器２６の場合、円筒形キャビティー８４は、パネル１４の下側に形成され、湾曲アーム８６がパネル１４から下方向に延び、そして気泡水準器２６と実質的に同じ形状を有する。気泡水準器２６は、パネル１４の組み立ての間、アーム８６によって提供される開口部内にスライドする。気泡水準器２６は、アーム８６の反対の端部においてキャビティーの端部によって、その円筒形キャビティーの端部から滑り落ちることが妨げられる。円筒形キャビティーは、一旦適所に組み立てられると、水準器２６が、側面から側面または上および下へと移動しないようにする。
【００４５】
図３および図１１の示される実施形態において、バッテリー充電指示器２４は、回路基板または他の基板様部材１０８を備え、ＬＥＤ９０およびバッテリー充電起動ボタン９２が基板１０８上に位置づけられる。基板１０８は、２つのネジ穴１１０を備え、パネル１４の下側は、２つのネジ穴１１２を備える。ＬＥＤ９０およびバッテリー充電起動ボタン９２が適切な開口部を通って伸長するように、基板１０８がパネル１４の下側に位置づけられる場合、基板１０８上のネジ穴１１０は、パネル１４の下側でネジ穴１１２と整列する。ネジ１１４が穴１１０、１１２を通して挿入される場合、バッテリー充電指示器２４は、パネル１４に連結される。バッテリー充電指示器２４からの電気リード線９８は、基板１０８から延びる。パネル１４を本体１２に設置する前に、電気リード線９８は、電気取り付け具（ｆｉｔｔｉｎｇ）（図示せず）に連結され得るかまたはコネクタ（図示せず）を介して他のワイヤに連結され得、例示のパネル１４は、バッテリー充電指示器２４をバッテリー１８に連結するために利用されるタイプのコネクタまたは取り付け具に制限も関連もしない。バッテリー充電指示器２４は、任意の公知の方法でパネル１４に連結され得る。例えば、指示器２４がネジの必要なしに連結され得ることが想定される。
【００４６】
示される実施形態において、磁石７４は、パネル１４の製造の間に、パネル１４内にインサート成形（ｉｎｓｅｒｔ  ｍｏｌｄ）される。パネル１４自体は、磁石７４がインサート成形される場合、連結機構として役立つ。これは、図１２に最も良く示される。磁石７４は、トレイ２８の外側に面する面７８の下に位置づけられる。あるいは、磁石７４は、留め具を用いてまたは別の連結機構によって、パネル１４上に位置づけられ得る。磁石７４は、プラスチック層７８の下に位置づけられる代わりに、外部に露出され得る。
【００４７】
ギア制御スイッチ２２は、示される実施形態において、パネル１４の本体１２への挿入の前に、パネル１４に永久的に連結されるわけではない。上で考察されるように、ギア制御スイッチ２２は、ギア制御スイングアーム７０に連結され、スイッチ２２の側方レール５２が、本体１２に配置されるレッジ７２の上に乗るように位置づけられる。パネル１４は、ギア制御スイッチ２２上に位置づけられ、そして本体１２上の可動位置でスイッチ２２を維持する。他のタイプのギア制御スイッチは、例示パネル１４とともに利用され得る。例えば、ギア制御スイッチは、本体１２上のパネル１４の挿入の前に、パネル１４に連結され得る。
【００４８】
動力ツール１０の本体１２、モーター３２、ハンドル１６、動力機構２０、およびバッテリーパック１８は、任意の公知の方法で製造され得る。１つの実施形態において、制御パネル１４は、アクリロニトリルブタジエンスチレン（「ＡＢＳ」）（ＵＬ認証）から作製され、当業者によって公知なように、射出成形プロセスを使用して製造される。
【００４９】
用語「実質的に」とは、推定の（ｅｓｔｉｍａｔｅ）用語として本明細書中で使用される。
【００５０】
特許請求される実施形態の種々の特徴が、上記に提供されるものの、これらの特徴が単一でまたはそれらの任意の組み合わせで使用され得ることが理解されるべきである。従って、特許請求される実施形態は、本明細書中に示される特定の実施形態のみに限定されるべきではない。
【００５１】
さらに、変更および改変が、特許請求する実施形態が関係する分野の当業者に思いつき得ることが理解されるべきである。本明細書中に記載される実施形態は、例示である。この開示によって、当業者は、特許請求の範囲に記載される要素と同様に対応する代替の要素を有する実施形態を作製および使用し得る。従って、意図される範囲は、特許請求の範囲の文字通りの言葉とは異ならないまたは実質的に異ならない他の実施形態を包含し得る。従って、例示の実施形態の範囲は、添付の特許請求の範囲に記載されるように規定される。
【図面の簡単な説明】
【００５２】
【図１】図１は、コードレスドリル上の例示的パネルの斜視図である。
【図２】図２は、例示的パネルの分解斜視図であり、パネルおよびギア制御スイッチを、コードレスドリルのハウジングから分解して図示する。
【図３】図３は、付属品を備える例示的パネルの分解斜視図である。
【図４】図４は、付属品が据え付けられていない、例示的パネルの上面図である。
【図５】図５は、図４のパネルの底面図である。
【図６】図６は、図４における線６−６に沿って見た、図４のパネルの断面図である。
【図７】図７は、パネルに連結された付属品を有する、例示的パネルの斜視図である。
【図８】図８は、図７のパネルの上面図である。
【図９】図９は、図７のパネルの左端面図である。
【図１０】図１０は、図７のパネルの右端面図である。
【図１１】図１１は、図７のパネルの底面図である。
【図１２】図１２は、図８における線１２−１２に沿って見た、図７のパネルの断面図である。
【図１３】図１３は、コードレスドリルハウジングセクションに据え付けられた、例示的パネルの斜視図である。
【図１４】図１４は、図１３に図示される例示的パネルおよびドリルの側面図である。
【図１５】図１５は、図１３に図示される例示的パネルおよびドリルの断面端面図である。
【図１６】図１６は、コードレスドリルハウジングセクションの斜視図である。
【図１】
2006281430.tif 000003
【図２】
2006281430.tif 000004
【図３】
2006281430.tif 000005
【図４】
2006281430.tif 000006
【図５】
2006281430.tif 000007
【図６】
2006281430.tif 000008
【図７】
2006281430.tif 000009
【図８】
2006281430.tif 000010
【図９】
2006281430.tif 000011
【図１０】
2006281430.tif 000012
【図１１】
2006281430.tif 000013
【図１２】
2006281430.tif 000014
【図１３】
2006281430.tif 000015
【図１４】
2006281430.tif 000016
【図１５】
2006281430.tif 000017
【図１６】
2006281430.tif 000018